(57)【要約】【課題】様々な環境に応じて送風装置を制御でき、空調の制御範囲を広くすることができる空調制御装置、および空調システムを提供する。【解決手段】１乃至複数の送風装置Ｆは、居室Ｒ内において局所的に送風することを目的とするタスクモードと、居室Ｒ内において空気を循環させることを目的とするアンビエントモードとを切り替え可能に構成される。空調制御装置１は、送風装置Ｆを制御するための環境情報を取得する情報取得部１２と、情報取得部１２が取得した環境情報に基づいて、送風装置Ｆの各々をタスクモードまたはアンビエントモードで動作させる制御部１１とを備える。【選択図】図１
2014016045.tif 000002
【特許請求の範囲】
【請求項１】
空間内において局所的に送風することを目的とする第１の送風モードと、前記空間内において空気を循環させることを目的とする第２の送風モードとを切り替え可能に構成された１乃至複数の送風装置の各動作を制御する空調制御装置であって、
時間情報、および前記空間内外の空間情報の少なくとも一方からなる環境情報を取得する情報取得部と、
前記情報取得部が取得した前記環境情報に基づいて、前記送風装置の各々を前記第１の送風モードまたは前記第２の送風モードで動作させる制御部と
を備えることを特徴とする空調制御装置。
【請求項２】
前記制御部は、前記情報取得部が取得した前記環境情報に基づいて、前記空間内の温熱環境を調整する冷房機能と暖房機能とのうち少なくともいずれか一方を有する空調装置の動作を制御することを特徴とする請求項１記載の空調制御装置。
【請求項３】
前記制御部は、前記情報取得部が取得した前記環境情報に基づいて、前記空間を外部に連通させる窓部を開閉する窓開閉装置の動作を制御することを特徴とする請求項１または２記載の空調制御装置。
【請求項４】
前記環境情報に基づいて定義された生活シーンと、前記送風装置の各々の動作を設定した動作パターンとの対応関係を記憶した記憶部を備え、
前記制御部は、前記情報取得部が取得した前記環境情報に基づいて前記生活シーンを選択し、この選択した前記生活シーンに対応する前記動作パターンで前記送風装置の各々を動作させる
ことを特徴とする請求項１乃至３いずれか記載の空調制御装置。
【請求項５】
空間内において局所的に送風することを目的とする第１の送風モードと、前記空間内において空気を循環させることを目的とする第２の送風モードとを切り替え可能に構成された１乃至複数の送風装置と、
時間情報、および前記空間内外の空間情報の少なくとも一方からなる環境情報を取得する情報取得部と、
前記情報取得部が取得した前記環境情報に基づいて、前記送風装置の各々を前記第１の送風モードまたは前記第２の送風モードで動作させる制御部と
を備えることを特徴とする空調システム。
【請求項６】
前記空間内に外気を導入する外気導入口を備え、
前記送風装置は、前記外気導入口、または前記外気導入口の近傍に設置される
ことを特徴とする請求項５記載の空調システム。
【発明の詳細な説明】
【技術分野】
【０００１】
本発明は、空調制御装置、および空調システムに関するものである。
【背景技術】
【０００２】
従来、住戸、オフィス、店舗等の空間内の温熱環境を調整するために、扇風機や換気扇等の送風装置が用いられている（例えば、特許文献１参照）。
【０００３】
そして、空間内の利用者に快適な温熱環境を提供することを目的として、環境に応じて送風装置を制御する空調システムがある（例えば、特許文献２参照）。
【先行技術文献】
【特許文献】
【０００４】
【特許文献１】特開２０１１−５８７５３号公報
【特許文献２】特開昭６２−２６６３４８号公報
【発明の概要】
【発明が解決しようとする課題】
【０００５】
送風制御には、所定空間内において局所的に送風することを目的とする送風（タスクモード）と、所定空間内の空気を循環させることを目的とする送風（アンビエントモード）とがある。
【０００６】
しかし、従来の空調システムでは、タスクモードとアンビエントモードとを切り替えて１台の送風装置を用いることができなかった。すなわち、従来の空調システムは、１台の送風装置を、タスクモードのみ、またはアンビエントモードのみで用いていた。したがって、従来の空調システムは、様々な環境に応じて送風装置を制御することが難しく、空調の制御範囲が狭いものであった。
【０００７】
本発明は、上記事由に鑑みてなされたものであり、その目的は、様々な環境に応じて送風装置を制御でき、空調の制御範囲を広くすることができる空調制御装置、および空調システムを提供することにある。
【課題を解決するための手段】
【０００８】
本発明の空調制御装置は、空間内において局所的に送風することを目的とする第１の送風モードと、前記空間内において空気を循環させることを目的とする第２の送風モードとを切り替え可能に構成された１乃至複数の送風装置の各動作を制御する空調制御装置であって、時間情報、および前記空間内外の空間情報の少なくとも一方からなる環境情報を取得する情報取得部と、前記情報取得部が取得した前記環境情報に基づいて、前記送風装置の各々を前記第１の送風モードまたは前記第２の送風モードで動作させる制御部とを備えることを特徴とする。
【０００９】
この発明において、前記制御部は、前記情報取得部が取得した前記環境情報に基づいて、前記空間内の温熱環境を調整する冷房機能と暖房機能とのうち少なくともいずれか一方を有する空調装置の動作を制御することが好ましい。
【００１０】
この発明において、前記制御部は、前記情報取得部が取得した前記環境情報に基づいて、前記空間を外部に連通させる窓部を開閉する窓開閉装置の動作を制御することが好ましい。
【００１１】
この発明において、前記環境情報に基づいて定義された生活シーンと、前記送風装置の各々の動作を設定した動作パターンとの対応関係を記憶した記憶部を備え、前記制御部は、前記情報取得部が取得した前記環境情報に基づいて前記生活シーンを選択し、この選択した前記生活シーンに対応する前記動作パターンで前記送風装置の各々を動作させることが好ましい。
【００１２】
本発明の空調システムは、空間内において局所的に送風することを目的とする第１の送風モードと、前記空間内において空気を循環させることを目的とする第２の送風モードとを切り替え可能に構成された１乃至複数の送風装置と、時間情報、および前記空間内外の空間情報の少なくとも一方からなる環境情報を取得する情報取得部と、前記情報取得部が取得した前記環境情報に基づいて、前記送風装置の各々を前記第１の送風モードまたは前記第２の送風モードで動作させる制御部とを備えることを特徴とする。
【００１３】
この発明において、前記空間内に外気を導入する外気導入口を備え、前記送風装置は、前記外気導入口、または前記外気導入口の近傍に設置されることが好ましい。
【発明の効果】
【００１４】
以上説明したように、本発明では、各送風装置の動作を個別に、タスクモード、アンビエントモードに切り替えることによって、様々な環境に応じて送風装置を制御でき、空調の制御範囲を広くすることができるという効果がある。
【図面の簡単な説明】
【００１５】
【図１】本実施形態の空調システムの全体構成を示すブロック図である。
【図２】同上の居室の具体構成例を示す概略図である。
【図３】同上の通常シーンに対応する動作パターンを示すグラフ図である。
【図４】同上の夕食シーンおよび晩酌シーンに対応する動作パターンを示すグラフ図である。
【図５】同上の朝支度シーンおよび掃除シーンに対応する動作パターンを示すグラフ図である。
【図６】同上の帰宅シーンに対応する動作パターンを示すグラフ図である。
【図７】同上の就寝シーンおよび昼寝シーンに対応する動作パターンを示すグラフ図である。
【図８】同上の風呂上りシーンに対応する動作パターンを示すグラフ図である。
【図９】同上の外出シーンに対応する動作パターンを示すグラフ図である。
【図１０】同上の制御モードを示す表図である。
【図１１】同上の送風モードを示す表図である。
【図１２】同上のタスクモードの動作を示す概略図である。
【図１３】同上のアンビエントモードの動作を示す概略図である。
【図１４】同上のシーン設定情報を示す表図である。
【図１５】同上の朝支度シーンのシーン−パターン対応情報を示す表図である。
【図１６】同上の通常シーンのシーン−パターン対応情報を示す表図である。
【発明を実施するための形態】
【００１６】
以下、本発明の実施の形態を図面に基づいて説明する。
【００１７】
（実施形態）
図１は、本実施形態の空調制御装置１を用いた空調システムの全体構成を示す。本システムを設置した住戸Ｈは、リビング、ダイニング、寝室、子供部屋等の居室Ｒａ，Ｒｂ，Ｒｃ．．．、玄関Ｅ、浴室（風呂場＋洗面所）Ｂ等を備える。
【００１８】
そして、空調制御の対象空間である居室Ｒａ，Ｒｂ，Ｒｃ．．．には、送風装置Ｆａ，Ｆｂ，Ｆｃ，．．．がそれぞれ設置される。以降、居室Ｒａ，Ｒｂ，Ｒｃ．．．を区別しない場合、居室Ｒと称し、送風装置Ｆａ，Ｆｂ，Ｆｃ，．．．を区別しない場合、送風装置Ｆと称す。なお、図１には、居室Ｒａ，Ｒｂ，Ｒｃのみを示すが、他の居室Ｒも略同様に構成される。
【００１９】
送風装置Ｆは、居室Ｒ内において局所的に送風することを目的とするタスクモード（第１の送風モード）と、居室Ｒ内において空気を循環させることを目的とするアンビエントモード（第２の送風モード）とを切り替え可能に構成される。送風装置Ｆは、タスクモードとアンビエントモードとの切り替えを、送風方向および風量の調整によって行う。この送風装置Ｆの送風方向および風量の調整は、空調制御装置１によって制御される。
【００２０】
また、居室Ｒａ，Ｒｂ，Ｒｃ．．．には、必要に応じて、空調装置Ｃａ，Ｃｂ，Ｃｃ．．．、窓開閉装置Ｍａ，Ｍｂ，Ｍｃ．．．、室温検出部２ａ，２ｂ，２ｃ．．．、人検出部３ａ，３ｂ，３ｃ．．．、外気導入口４ａ，４ｂ，４ｃ．．．が、それぞれ設置される。以降、空調装置Ｃａ，Ｃｂ，Ｃｃ．．．を区別しない場合、空調装置Ｃと称し、窓開閉装置Ｍａ，Ｍｂ，Ｍｃ．．．を区別しない場合、窓開閉装置Ｍと称す。また、室温検出部２ａ，２ｂ，２ｃ．．．を区別しない場合、室温検出部２と称し、人検出部３ａ，３ｂ，３ｃ．．．を区別しない場合、人検出部３と称し、外気導入口４ａ，４ｂ，４ｃ．．．を区別しない場合、外気導入口４と称す。
【００２１】
空調装置Ｃは、居室Ｒの温熱環境を調整する冷房機能と暖房機能とを有する。なお、空調装置Ｃは、冷房機能と暖房機能とのうち少なくともいずれか一方を有するものであってもよい。
【００２２】
窓開閉装置Ｍは、居室Ｒを外部に連通させる窓部を開閉する機能を有し、モータ等によって構成される。
【００２３】
室温検出部２は、居室Ｒの室温を検出する機能を有し、人検出部３は、居室Ｒ内の人の在・不在を検出する。
【００２４】
外気導入口４は、居室Ｒ内に外気を導入する機能を有し、その外気導入の開・閉を切り替えることができる。
【００２５】
次に、玄関Ｅには、玄関ドアの施錠・解錠を検出する施解錠検出部５と、玄関Ｅ内の人の在・不在を検出する人検出部６とが設置される。
【００２６】
次に、浴室Ｂには、浴室Ｂの照明の点灯・消灯を検出する点灯状態検出部７が設置される。点灯状態検出部７は、例えば、照明の点灯・消灯を操作する照明スイッチの動作状態を検出する。
【００２７】
また、住戸Ｈ外には、外気温を検出する外気温検出部８が設置されている。
【００２８】
ここで、室温検出部２、人検出部３、施解錠検出部５、人検出部６、点灯状態検出部７、外気温検出部８の各検出結果は、居室Ｒ内外の空間情報であり、本発明の環境情報を構成する。すなわち、環境情報には、室温検出部２が検出する居室Ｒの室温、人検出部３が検出する居室Ｒの在・不在状況、施解錠検出部５が検出する玄関Ｅの施錠状況が含まれる。さらに、環境情報には、人検出部６が検出する玄関Ｅの在・不在状況、点灯状態検出部７が検出する浴室Ｂの点灯・消灯状況、外気温検出部８が検出する外気温も含まれる。また、後述の時刻情報は、本発明の時間情報であり、この時刻情報も本発明の環境情報に含まれる。
【００２９】
図２は、居室Ｒａ〜Ｒｃの具体構成例を示す。
【００３０】
居室Ｒａには、ソファＸａ１、ベッドＸａ２が設置されており、送風装置Ｆａ１をソファＸａ１の近傍に設け、送風装置Ｆａ２をベッドＸａ２の近傍に設ける。また、居室Ｒａには、２つの窓部Ｗａ１，Ｗａ２が設けられており、窓部Ｗａ１を開閉する窓開閉装置Ｍａ１、窓部Ｗａ２を開閉する窓開閉装置Ｍａ２が設置されている。さらに、居室Ｒａには、空調装置Ｃａ、室温検出部２ａ、人検出部３ａ、外気導入口４ａが設置されている。
【００３１】
居室Ｒｂには、いすＸｂ１と机Ｘｂ２との組が設置されており、送風装置Ｆｂ１を机Ｘｂ２の近傍に設ける。また、居室Ｒｂには、１つの窓部Ｗｂ１が設けられており、窓部Ｗｂ１を開閉する窓開閉装置Ｍｂ１が設置されている。さらに、居室Ｒｂには、室温検出部２ｂ、人検出部３ｂ、外気導入口４ｂが設置されている。
【００３２】
居室Ｒｃには、いすＸｃ１と机Ｘｃ２との組、ベッドＸｃ３が設置されており、送風装置Ｆｃ１を机Ｘｃ２の近傍に設ける。また、居室Ｒｃには、１つの窓部Ｗｃ１が設けられており、窓部Ｗｃ１を開閉する窓開閉装置Ｍｃ１が設置されている。さらに、居室Ｒｃには、空調装置Ｃｃ、室温検出部２ｃ、人検出部３ｃ、外気導入口４ｃが設置されている。
【００３３】
そして、本空調システムは、空調制御装置１および入力部９を備えており、空調制御装置１、入力部９は、住戸Ｈに設置されている（図１参照）。
【００３４】
空調制御装置１は、制御部１１と、情報取得部１２と、記憶部１３とを備える。
【００３５】
情報取得部１２は、室温検出部２、人検出部３、施解錠検出部５、人検出部６、点灯状態検出部７、外気温検出部８の各検出信号を、環境情報として取得する。さらに、情報取得部１２は、時刻を計時する時計機能が付加されており、この時刻情報も環境情報として取得する。
【００３６】
記憶部１３は、上述の環境情報に基づいて定義された生活シーンと、送風装置Ｆ、空調装置Ｃ、窓開閉装置Ｍ、外気導入口４の各動作を設定した動作パターンとの対応関係（シーン−パターン対応情報と称す）を記憶している。すなわち、送風装置Ｆ、空調装置Ｃ、窓開閉装置Ｍ、外気導入口４の各動作は、生活シーン毎に設定されている。
【００３７】
生活シーンには、「通常シーン」、「夕食シーン」、「晩酌シーン」、「朝支度シーン」、「掃除シーン」、「帰宅シーン」、「就寝シーン」、「昼寝シーン」、「風呂あがりシーン」、「外出シーン」等がある。そして、図３は、通常シーンに対応する動作パターンＰ１、図４は、夕食シーンおよび晩酌シーンに対応する動作パターンＰ２、図５は、朝支度シーンおよび掃除シーンに対応する動作パターンＰ３、図６は、帰宅シーンに対応する動作パターンＰ４を示す。さらに、図７は、就寝シーンおよび昼寝シーンに対応する動作パターンＰ５、図８は、風呂上りシーンに対応する動作パターンＰ６、図９は、外出シーンに対応する動作パターンＰ７を示す。
【００３８】
動作パターンＰ１〜Ｐ７のそれぞれは、室温検出部２が検出する室温と、外気温検出部８が検出する外気温とに応じて、図１０に示す制御モードＫ１〜Ｋ７のいずれかで動作する。なお、図３〜図９に示す動作パターンＰ１〜Ｐ７は、夏季の動作を示しており、空調装置Ｃは冷房運転を行うものとする。
【００３９】
制御モードＫ１は、送風装置Ｆ：オフ、空調装置Ｃ：オフ、窓開閉装置Ｍ：閉、外気導入口４：開に制御する。
【００４０】
制御モードＫ２は、送風装置Ｆ：オフ、空調装置Ｃ：オフ、窓開閉装置Ｍ：開、外気導入口４：開に制御する。
【００４１】
制御モードＫ３は、送風装置Ｆ：タスクモード、空調装置Ｃ：オフ、窓開閉装置Ｍ：閉、外気導入口４：開に制御する。
【００４２】
制御モードＫ４は、送風装置Ｆ：タスクモード、空調装置Ｃ：オフ、窓開閉装置Ｍ：開、外気導入口４：開に制御する。
【００４３】
制御モードＫ５は、送風装置Ｆ：アンビエントモード、空調装置Ｃ：オン、窓開閉装置Ｍ：閉、外気導入口４：開に制御する。
【００４４】
制御モードＫ６は、送風装置Ｆ：タスクモード、空調装置Ｃ：オン、窓開閉装置Ｍ：閉、外気導入口４：開に制御する。
【００４５】
制御モードＫ７は、送風装置Ｆ：アンビエントモード、空調装置Ｃ：オフ、窓開閉装置Ｍ：開、外気導入口４：開に制御する。
【００４６】
そして、通常シーンに対応する動作パターンＰ１は、図３に示すように、制御モードＫ１，Ｋ２，Ｋ３，Ｋ４，Ｋ５で構成される。制御モードＫ１は、「室温＜Ｔ１１」、または「Ｔ１１≦室温＜Ｔ１２、且つ室温＜外気温」の場合に用いられる。制御モードＫ２は、「Ｔ１１≦室温＜Ｔ１２、且つ室温≧外気温」の場合に用いられる。制御モードＫ３は、「Ｔ１２≦室温＜Ｔ１３、且つ室温＜外気温」の場合に用いられる。制御モードＫ４は、「Ｔ１２≦室温＜Ｔ１３、且つ室温≧外気温」の場合に用いられる。制御モードＫ５は、「室温≧Ｔ１３」の場合に用いられる。
【００４７】
夕食シーン、晩酌シーンに対応する動作パターンＰ２は、図４に示すように、制御モードＫ１，Ｋ２，Ｋ３，Ｋ４，Ｋ５で構成される。制御モードＫ１は、「室温＜Ｔ２１」、または「Ｔ２１≦室温＜Ｔ２２、且つ室温＜外気温」の場合に用いられる。制御モードＫ２は、「Ｔ２１≦室温＜Ｔ２２、且つ室温≧外気温」の場合に用いられる。制御モードＫ３は、「Ｔ２２≦室温＜Ｔ２３、且つ室温＜外気温」の場合に用いられる。制御モードＫ４は、「Ｔ２２≦室温＜Ｔ２３、且つ室温≧外気温」の場合に用いられる。制御モードＫ５は、「室温≧Ｔ２３」の場合に用いられる。
【００４８】
朝支度シーン、掃除シーンに対応する動作パターンＰ３は、図５に示すように、制御モードＫ１，Ｋ２，Ｋ５で構成される。制御モードＫ１は、「室温＜Ｔ３１」、または「Ｔ３１≦室温＜Ｔ３２、且つ室温＜外気温」の場合に用いられる。制御モードＫ２は、「Ｔ３１≦室温＜Ｔ３２、且つ室温≧外気温」の場合に用いられる。制御モードＫ５は、「室温≧Ｔ３２」の場合に用いられる。
【００４９】
帰宅シーンに対応する動作パターンＰ４は、図６に示すように、制御モードＫ１，Ｋ２，Ｋ３，Ｋ４，Ｋ５で構成される。制御モードＫ１は、「室温＜Ｔ４１」、または「Ｔ４１≦室温＜Ｔ４２、且つ室温＜外気温」の場合に用いられる。制御モードＫ２は、「Ｔ４１≦室温＜Ｔ４２、且つ室温≧外気温」の場合に用いられる。制御モードＫ３は、「Ｔ４２≦室温＜Ｔ４３、且つ室温＜外気温」の場合に用いられる。制御モードＫ４は、「Ｔ４２≦室温＜Ｔ４３、且つ室温≧外気温」の場合に用いられる。制御モードＫ５は、「室温≧Ｔ４３」の場合に用いられる。
【００５０】
就寝シーン、昼寝シーンに対応する動作パターンＰ５は、図７に示すように、制御モードＫ１，Ｋ２，Ｋ５で構成される。制御モードＫ１は、「室温＜Ｔ５１」、または「Ｔ５１≦室温＜Ｔ５２、且つ室温＜外気温」の場合に用いられる。制御モードＫ２は、「Ｔ５１≦室温＜Ｔ５２、且つ室温≧外気温」の場合に用いられる。制御モードＫ５は、「室温≧Ｔ５２」の場合に用いられる。
【００５１】
風呂上りシーンに対応する動作パターンＰ６は、図８に示すように、制御モードＫ１，Ｋ３，Ｋ４，Ｋ６で構成される。制御モードＫ１は、「室温＜Ｔ６１」の場合に用いられる。制御モードＫ３は、「Ｔ６１≦室温＜Ｔ６２、且つ室温＜外気温」の場合に用いられる。制御モードＫ４は、「Ｔ６１≦室温＜Ｔ６２、且つ室温≧外気温」の場合に用いられる。制御モードＫ６は、「室温≧Ｔ６２」の場合に用いられる。
【００５２】
外出シーンに対応する動作パターンＰ７は、図９に示すように、制御モードＫ１，Ｋ２，Ｋ７で構成される。制御モードＫ１は、「室温＜Ｔ７１」、または「Ｔ７１≦室温、且つ室温＜外気温」の場合に用いられる。制御モードＫ２は、「Ｔ７１≦室温＜Ｔ７２、且つ室温≧外気温」の場合に用いられる。制御モードＫ７は、「Ｔ７２≦室温、且つ室温≧外気温」の場合に用いられる。
【００５３】
そして、各居室Ｒに設置されている送風装置Ｆのタスクモードおよびアンビエントモードの各動作は、居室Ｒの状況に応じて、図１１に示す８個の送風モードＳ１〜Ｓ８から選択される。なお、図１１において、送風モードＳ１〜Ｓ３がアンビエントモード、送風モードＳ４〜Ｓ８がタスクモードである。
【００５４】
送風モードＳ１は、「送風方向：水平、風量：弱、モード：アンビエントモード」である。送風モードＳ２は、「送風方向：斜め上４５度、風量：弱、モード：アンビエントモード」である。送風モードＳ３は、「送風方向：斜め下４５度、風量：弱、モード：アンビエントモード」に制御される。
【００５５】
また、送風モードＳ４は、「送風方向：水平、風量：強、モード：タスクモード」である。送風モードＳ５は、「送風方向：斜め下３０度、風量：強、モード：タスクモード」である。送風モードＳ６は、「送風方向：斜め下４５度、風量：強、モード：タスクモード」である。送風モードＳ７は、「送風方向：斜め上３０度、風量：強、モード：タスクモード」である。送風モードＳ８は、「送風方向：斜め上４５度、風量：強、モード：タスクモード」である。
【００５６】
送風モードＳ４〜Ｓ８のタスクモードは、風量が強く、送風方向は利用者に風が直接当たる向きとなる。住戸Ｈの各居室Ｒにおいて、使用者の居場所は、ソファ、ベッド、いす等のように、ある程度決まっていると考えられる。そこで、タスクモードを用いる場合、送風モードＳ４〜Ｓ８から適したモードを選んで、各居室Ｒのソファ、ベッド、いす等の家具Ｘに向かって送風する（図１２参照）。
【００５７】
また、送風モードＳ１〜Ｓ３のアンビエントモードは、風量が弱く、送風方向は、居室Ｒ内の空気を循環させるのに適した方向となる。アンビエントモードを用いる場合、空調装置Ｃの位置や、空調装置Ｃが居室Ｒ内に送出する冷気または暖気の方向を考慮して、送風モードＳ１〜Ｓ３から、適した送風方向を有するモードを選ぶ（図１３参照）。
【００５８】
そして、各居室Ｒにおけるタスクモードおよびアンビエントモードの各設定は、利用者による入力部９の操作によって行われ、入力部９は、送風モードの送風モード設定情報を空調制御装置１へ送信する。空調制御装置１では、この送風モード設定情報を記憶部１３に格納する。
【００５９】
例えば、送風装置Ｆａ１［タスクモード：送風モードＳ４、アンビエントモード：送風モードＳ２］、送風装置Ｆａ２［タスクモード：送風モードＳ６、アンビエントモード：送風モードＳ１］に設定される。また、送風装置Ｆｂ１［タスクモード：送風モードＳ５、アンビエントモード：送風モードＳ２］、送風装置Ｆｃ１［タスクモード：送風モードＳ６、アンビエントモード：送風モードＳ１］に設定される。
【００６０】
さらに、利用者は、生活シーンを定義するために、入力部９を操作し、生活シーン毎に、必要な対象時刻および対象場所（シーン設定情報）を入力する。入力部９は、このシーン設定情報を、空調制御装置１へ送信する。空調制御装置１では、シーン設定情報を記憶部１３に格納する。
【００６１】
図１４は、シーン設定情報の内容を示す。夕食シーンは、対象時刻：「１８時〜１９時」、対象場所：「ダイニング」が入力され、晩酌シーンは、対象時刻：「２２時〜２３時」、対象場所：「リビング」が入力される。さらに、朝支度シーンは、対象時刻：「７時〜８時」、対象場所：「リビング」が入力され、掃除シーンは、対象時刻：「１０時〜１２時」が入力される。さらに、就寝シーンは、対象時刻「２４時〜６時」、対象場所「寝室、子供部屋」が入力され、昼寝シーンは、対象時刻「１３時〜１６時」、対象場所「リビング」が入力され、風呂あがりシーンは、対象時刻「２０時〜２３時」が入力される。なお、対象場所が予め決まっている生活シーン（例えば、掃除シーン、風呂上りシーン等）は、シーン設定情報における対象場所の入力が省略される。
【００６２】
そして、空調制御装置１の制御部１１は、生活シーン毎の対象時刻および対象場所を、記憶部１３のシーン−パターン対応情報に反映させる。なお、生活シーンは、上述の対象時刻および対象場所以外に、他の環境情報に基づいて定義される場合もある。以下、各生活シーンの定義、動作について説明する。
【００６３】
まず、制御部１１は、時刻１８時〜１９時に、ダイニングにおいて夕食シーンが発生すると判断し、ダイニングの送風装置Ｆ、空調装置Ｃ、窓開閉装置Ｍ、外気導入口４の各動作を、図４に示す動作パターンＰ２にしたがって制御する。しかしながら、時刻１８時〜１９時に、ダイニングの人検出部３が人を検出しなかった場合、制御部１１は、ダイニングの送風装置Ｆ、空調装置Ｃの各動作をオフ制御する。
【００６４】
また、制御部１１は、時刻２２時〜２３時に、リビングにおいて晩酌シーンが発生すると判断し、ダイニングの送風装置Ｆ、空調装置Ｃ、窓開閉装置Ｍ、外気導入口４の各動作を、図４に示す動作パターンＰ２にしたがって制御する。しかしながら、時刻２２時〜２３時に、リビングの人検出部３が人を検出しなかった場合、制御部１１は、リビングの送風装置Ｆ、空調装置Ｃの各動作をオフ制御する。
【００６５】
また、制御部１１は、時刻７時〜８時に、リビングにおいて朝支度シーンが発生すると判断し、リビングの送風装置Ｆ、空調装置Ｃ、窓開閉装置Ｍ、外気導入口４の各動作を、図５に示す動作パターンＰ３にしたがって制御する。しかしながら、時刻７時〜８時に、リビングの人検出部３が人を検出しなかった場合、制御部１１は、リビングの送風装置Ｆ、空調装置Ｃの各動作をオフ制御する。なお、図１５は、朝支度シーンのシーン−パターン対応情報を示し、図５に示す動作パターンＰ３が、時刻情報等の環境情報に対応付けられている。
【００６６】
また、制御部１１は、時刻１０時〜１２時に、全居室Ｒにおいて掃除シーンが発生すると判断し、全居室Ｒの送風装置Ｆ、空調装置Ｃ、窓開閉装置Ｍ、外気導入口４の各動作を、図５に示す動作パターンＰ３にしたがって制御する。
【００６７】
また、制御部１１は、「人検出部６が玄関Ｅ内の人の存在を検出してから１５秒以内に、施解錠検出部５が解錠を検出し、その後、３００秒以内にいずれかの居室Ｒの人検出部３が人の存在を検出した」場合、リビングおよび人が存在する居室Ｒにおいて、以後２０分間に亘って帰宅シーンが発生すると判断する。そして、制御部１１は、帰宅シーンにおいて、ダイニングの送風装置Ｆ、空調装置Ｃ、窓開閉装置Ｍ、外気導入口４の各動作を、図６に示す動作パターンＰ４にしたがって制御する。
【００６８】
また、制御部１１は、時刻２４時〜６時に、寝室および子供部屋において就寝シーンが発生すると判断し、寝室および子供部屋の送風装置Ｆ、空調装置Ｃ、窓開閉装置Ｍ、外気導入口４の各動作を、図７に示す動作パターンＰ５にしたがって制御する。なお、就寝シーンにおいて、制御モードＫ２で動作させる場合、窓開閉装置Ｍによる開制御は防犯面を十分考慮して行う必要がある。
【００６９】
また、制御部１１は、時刻１３時〜１６時に、リビングの人検出部３が人の存在を検出した後、この人の動きを３０分以上検出しなかった場合、リビングにおいて昼寝シーンが発生していると判断する。例えば、人検出部３に焦電素子を用いた場合、制御部１１は、人検出部３に反応があってから、３０分以上反応がなければ、昼寝シーンが発生していると判断する。そして、制御部１１は、昼寝シーンにおいて、リビングの送風装置Ｆ、空調装置Ｃ、窓開閉装置Ｍ、外気導入口４の各動作を、図７に示す動作パターンＰ５にしたがって制御する。なお、昼寝シーンの発生中、リビングの人検出部３が人の動きを検出した場合、後述の通常シーンに戻る。また、昼寝シーンにおいて、制御モードＫ２で動作させる場合、窓開閉装置Ｍによる開制御は防犯面を十分考慮して行う必要がある。
【００７０】
また、制御部１１は、時刻２０時〜２３時に、浴室Ｂの照明が点灯から消灯に切り替わってから３０秒以内に人検出部３が人の存在を検出した居室Ｒにおいて、以後２０分間に亘って、風呂上りシーンが発生していると判断する。そして、制御部１１は、風呂上りシーンにおいて、この人が存在する居室Ｒの送風装置Ｆ、空調装置Ｃ、窓開閉装置Ｍ、外気導入口４の各動作を、図８に示す動作パターンＰ６にしたがって制御する。
【００７１】
また、制御部１１は、施解錠検出部５が玄関ドアの施錠を検出してから３０分間に亘って、人検出部３，６が人の存在を検出しなかった場合、外出シーンが発生していると判断する。そして、制御部１１は、外出シーンにおいて、全ての居室Ｒの送風装置Ｆ、空調装置Ｃ、窓開閉装置Ｍ、外気導入口４の各動作を、図９に示す動作パターンＰ７にしたがって制御する。なお、外出シーンにおいて、制御モードＫ２で動作させる場合、窓開閉装置Ｍによる開制御は防犯面を十分考慮して行う必要がある。
【００７２】
この外出シーンでは、「Ｔ７２≦室温、且つ室温≧外気温」の場合、制御モードＫ７で動作しており、窓開閉装置Ｍが窓部を開き、外気導入口４を開制御して、送風装置Ｆをアンビエントモードで動作させる。したがって、利用者が住戸Ｈ内にいない外出時において、外気を利用した換気を促進させ、住戸Ｈ内に熱がこもらないようにしている。
【００７３】
さらに、送風装置Ｆを、外気導入口４、または外気導入口４の近傍に配置することによって、外出時の外気導入がより促進され、換気の効果が向上する。その結果、熱のこもった住戸Ｈに帰宅した利用者の不快感が低減され、快適性の向上につながる。さらに、換気効果の向上によって、冷房（状況によっては冷暖房）が不要になる時間が増え、省エネルギー化にもつながる。
【００７４】
また、制御部１１は、上述の「夕食シーン」、「晩酌シーン」、「朝支度シーン」、「掃除シーン」、「帰宅シーン」、「就寝シーン」、「昼寝シーン」、「風呂あがりシーン」、「外出シーン」等が発生していない場合、通常シーンが発生していると判断する。そして、制御部１１は、通常シーンにおいて、全ての居室Ｒの送風装置Ｆ、空調装置Ｃ、窓開閉装置Ｍ、外気導入口４の各動作を、図３に示す動作パターンＰ１にしたがって制御する。しかしながら、制御部１１は、通常シーンにおいて、人検出部３が人を検出していない居室Ｒの送風装置Ｆ、空調装置Ｃの各動作をオフ制御する。なお、図１６は、通常シーンのシーン−パターン対応情報を示し、図３に示す動作パターンＰ１が、時刻情報等の環境情報に対応付けられている。
【００７５】
このように、本実施形態では、各送風装置Ｆの動作を個別に、タスクモード、アンビエントモードに切り替えることができるので、利用者は、生活シーンに適したより快適な温熱環境を享受することができる。タスクモードは、居室Ｒ内において局所的に送風することを目的としており、居室Ｒ内の利用者に風を直接当てて、局所的な温熱環境を制御する。一方、アンビエントモードは、居室Ｒ内において空気を循環させることを目的としており、居室Ｒ全体の温熱環境を均一にして、居室Ｒ全体の温熱環境を制御する。したがって、各送風装置Ｆの動作を個別に、タスクモード、アンビエントモードに切り替えることによって、様々な環境に応じて送風装置Ｆを制御でき、空調の制御範囲を広くすることができる。
【００７６】
また、制御部１１は、上述の「通常シーン」、「夕食シーン」、「晩酌シーン」、「朝支度シーン」、「掃除シーン」、「帰宅シーン」、「就寝シーン」、「昼寝シーン」、「風呂あがりシーン」において、室温が所定温度より高い場合、制御モードＫ５またはＫ６を用いる。すなわち、制御モードＫ５またはＫ６を用いて、送風装置Ｆと空調装置Ｃとを連動させることによって、アンビエントモードでは、空調装置Ｃの冷気を、空間全体に行き届かせることができ、利用者の快適性が向上する。また、送風装置Ｆと空調装置Ｃとを連動させることによって、タスクモードでは、空間の熱溜まりを無駄に空調することを抑制でき、省エネルギー化につながる。
【００７７】
また、制御部１１は、上述の各生活シーンにおいて、制御モードＫ２，Ｋ４を用いる場合、窓開閉装置Ｍが窓部を開制御している。すなわち、送風装置Ｆと窓開閉装置Ｍとを連動させることで、外気利用を促進させることができる。その結果、空調装置Ｃを冷房運転させることなく、利用者は涼感を得ることができ、快適性の確保と省エネルギー化とを両立させることができる。
【００７８】
また、環境情報に基づいて、生活シーン毎の空調制御を行うことで、様々な環境下において、省エネルギー性を損なうことなく、快適な温熱環境を利用者に提供することができる。
【００７９】
また、空調装置Ｃが暖房運転を行う冬季の動作についても、本発明の技術思想に基づいて略同様の制御が可能であり、冬季においても様々な環境に応じて送風装置Ｆを制御でき、空調の制御範囲を広くすることができる。
【符号の説明】
【００８０】
１  空調制御装置
１１  制御部
１２  情報取得部
１３  記憶部
Ｈ  住戸
Ｒ（Ｒａ，Ｒｂ，．．．）  居室
Ｆ（Ｆａ，Ｆｂ，．．．）  送風装置
【図１】
2014016045.tif 000003
【図２】
2014016045.tif 000004
【図３】
2014016045.tif 000005
【図４】
2014016045.tif 000006
【図５】
2014016045.tif 000007
【図６】
2014016045.tif 000008
【図７】
2014016045.tif 000009
【図８】
2014016045.tif 000010
【図９】
2014016045.tif 000011
【図１０】
2014016045.tif 000012
【図１１】
2014016045.tif 000013
【図１２】
2014016045.tif 000014
【図１３】
2014016045.tif 000015
【図１４】
2014016045.tif 000016
【図１５】
2014016045.tif 000017
【図１６】
2014016045.tif 000018